(57)【要約】【課題】画像表示装置に録画及び／又は再生装置を接続して、ＢＤやＤＶＤ等の記録媒体を録画及び／又は再生装置に挿入した場合、格別の設定等を行うことなく自動的に挿入された記録媒体に応じた最適の画像表示を行うことを可能としたこと画像表示システム等を提供すること。【解決手段】本発明に従った画像表示システムは、記録及び／又は再生装置２０からの媒体情報を受けて、媒体の種別等を判定し、媒体の種別等毎に予め決められた最適の表示方式を選択する画像表示方式選択部３０を有しており、記録及び／又は再生装置２０に記録媒体を挿入するだけで、挿入された記録媒体に最適の表示方式で表示部１８に画像等を表示することができる。【選択図】図１
2010117688.tif 000002
【特許請求の範囲】
【請求項１】
各種の記録媒体に対応した記録及び／又は再生装置と、前記記録及び／又は再生装置の出力を受けて前記各種の記録媒体からの画像を再生することができる画像表示装置よりなる画像表示システムであって、
前記記録及び／又は再生装置は、装着された記録媒体から情報を読み出し再生する再生部と、前記再生部によって再生された情報から前記記録媒体の種別に関する情報を含む媒体情報を分離する媒体情報分離部とを備え、
前記画像表示装置は、画像表示方式選択部を備え、前記記録及び／又は再生装置からの前記媒体情報を受け、特定の媒体を識別すると共に、特定の媒体に対して、予め設定された最適の映像信号の表示方式を選択するものであり、
前記記録媒体が前記記録及び／又は再生部に挿入された場合に、自動的に最適の表示方式によって映像表示が行われることを特徴とする画像表示システム。
【請求項２】
前記画像表示装置はドット表示型の表示装置であり、前記映像信号の表示方式には、ドット・バイ・ドット方式の表示を含むことと特徴とする請求項１に記載の画像表示システム。
【請求項３】
前記映像信号の表示方式には、画面サイズを変更した表示方式を含むことを特徴とした請求項１または２に記載の画像表示システム。
【請求項４】
前記映像信号の表示方式には、画面の一部を変形した表示方式を含むことを特徴とした請求項１から３のいずれか一項に記載の画像表示システム。
【請求項５】
前記媒体情報に、更に、コンテンツに関する情報を追加したことを特徴とする請求項１から４のいずれか一項に記載の画像表示システム。
【請求項６】
前記媒体情報がＢＤ−ＲＯＭを示すものであるとき、表示方式としてドット・バイ・ドット表示とすることを特徴とする請求項１から５のいずれか一項に記載の画像表示システム。
【請求項７】
前記媒体情報がＤＶＤ−ＲＯＭを示すものであるとき、表示方式としてドット・バイ・ドット表示とすることを特徴とする請求項１から５のいずれか一項に記載の画像表示システム。
【請求項８】
前記媒体情報がＣＤ−ＲＯＭを示すものであるとき、表示方式としてドット・バイ・ドット表示とすることを特徴とする請求項１から５のいずれか一項に記載の画像表示システム。
【請求項９】
前記媒体情報が長時間モードで記録された情報であることを示すものであるとき、表示方式としてドット・バイ・ドット表示とし、更に、画質補正を行うことを特徴とする請求項１から８のいずれか一項に記載の画像表示システム。
【請求項１０】
前記記録及び／又は再生装置からの映像信号が、前記記録及び／又は再生装置側の操作機能に関連するオンスクリーン表示（ＯＳＤ）を行うものであるときには、画質調整を行わないことを特徴とする請求項９に記載の画像表示システム。
【請求項１１】
最適の表示方式を自動的に選択する機能を無効にすることを可能としたことを特徴とする請求項１から１０のいずれか一項に記載の画像表示システム。
【請求項１２】
最適の表示方式として強制的にドット・バイ・ドット表示に切り替え可能としたことを特徴とする請求項１から５のいずれか一項に記載の画像表示システム。
【請求項１３】
前記記録及び／又は再生装置が前記画像表示装置内に内蔵されて一体構成となっていることを特徴とする請求項１から１２のいずれか一項に記載の画像表示システム。
【請求項１４】
前記記録及び／又は再生装置が前記画像表示装置と着脱式の接続手段により分離可能となっていることを特徴とする請求項１から１２のいずれか一項に記載の画像表示システム。
【請求項１５】
前記記録及び／又は再生装置の記録媒体自体が前記画像表示装置内に内蔵されて一体構成となっており、内蔵された記録媒体からの信号を再生する場合には、前記内蔵された記録媒体に保存された情報に従って最適な表示方式を選択することを特徴とする請求項１３又は１４に記載の画像表示システム。
【請求項１６】
特定の媒体に対して最適の映像信号の表示方式を設定する最適表示方式対応表をオンスクリーン表示可能とし、予め設定する最適の映像信号の表示方式をユーザーで設定できるようにしたことを特徴とする請求項１から１５のいずれか一項に記載画像表示システム。
【請求項１７】
装着された記録媒体から情報を読み出し再生する再生部と、前記再生部によって再生された情報から前記記録媒体の種別に関する情報を含む媒体情報を分離する媒体情報分離部と、前記分離された媒体情報を外部機器に供給するための端子と、外部機器からの入力信号を記録する記録部とを備えた記録及び／又は再生装置。
【請求項１８】
記録及び／又は再生装置からの媒体情報を受信するための端子を備えると共に、前記端子から受信した媒体情報によって記録及び／又は再生装置に装着された媒体を識別し、特定の媒体に対して、予め設定された最適の映像信号の表示方式を選択する画像表示方式選択部とを備え、自動的に最適の表示方式によって映像表示が行われることを特徴とする画像表示装置。
【請求項１９】
各種記録媒体の記録及び／又は再生装置からの再生情報を受信し、この受信した再生情報から前記記録媒体の種別に関する情報を含む媒体情報を分離する媒体情報分離部を備えたことを特徴とする請求項１８に記載の画像表示装置。
【請求項２０】
コンピュータを請求項１から１９のいずれか一項に記載の画像表示システム、記録及び／又は再生装置、画像表示装置を各装置として機能させるための制御プログラム。
【請求項２１】
請求項２０に記載の画像表示システムの制御プログラムを記録したコンピュータ読み取り可能な記録媒体。
【発明の詳細な説明】
【技術分野】
【０００１】
本発明は、各種の記録媒体に対応した記録及び／又は再生装置と画像表示装置を有機的に接続可能とした画像表示システム、このシステムに使用する画像表示装置、記録及び／又は再生装置、記録再生プログラムに関する。
【背景技術】
【０００２】
近年、液晶テレビをはじめとする高画質、高音質再生が可能なＨＤ（フルスペックハイビジョン）放送対応型の薄型テレビの市場が急拡大している。また、最近の薄型テレビでは、ＨＤＭＩ端子や（デジタル／アナログ）ＲＧＢ端子の搭載が標準となりつつあり、ＢＤ（ブルーレイディスク）装置（レコーダ）やＤＶＤ装置（レコーダ）等の外部機器とのリンク機能を有したり、更には、ＰＣ用のモニタとしても使用したりすることができる等、その利便性が拡大している。
【０００３】
また、上記のようなＨＤ（フルスペックハイビジョン）放送対応型の薄型テレビにおいて、ＨＤ（フルスペックハイビジョン）放送をＨＤ（フルスペックハイビジョン）仕様の表示パネルに表示して楽しむだけでなく、大容量のＢＤ装置（レコーダ）等の記録再生装置を接続して高画質のＨＤ放送を録画し、更に、録画された放送を再生してこの再生画像をＨＤ対応のテレビで楽しむこと、或いは、前記記録再生装置を用いて、録画済みのＢＤやＤＶＤを再生して楽しむことが広く行われている。これらの記録及び／又は再生装置の中には、１台の装置でＢＤ、ＤＶＤ、ＣＤを再生できるように光ピックアップに３波長レーザを搭載し、いずれのディスクでも使用を可能にした装置もある。
【０００４】
ところが、上記のような記録再生装置を接続したテレビにおいては下記のような問題点がある。
【０００５】
１）わが国の放送は従来のテレビと互換性を保つため、画面の表示にいわゆる“オーバースキャン”方式を採用しているため、液晶テレビやＰＤＰテレビのようにドット表示（入力信号の解像度どおりのパネル画素数で映す表示。ドット・バイ・ドット表示とも言う。）型テレビでは、画面の表示が画面領域をはみ出して正常に表示されない場合が発生する。従って、従来、画面領域の外で見えなかった映像ノイズ（表示画像以外の管理信号や制御信号等が画像ノイズとして見えるもの）が、映る場合があった。特に、ＨＤ（フルスペックハイビジョン）放送等をそのままドット・バイ・ドットで表示すると、前記のような映像ノイズがどうしても画面の上下或いは左右の端に映る場合があり、せっかくの、高画質のＨＤ画像の表示品質が劣化する場合がある。
【０００６】
２）近年、ＨＤ放送をそのままの画質でダイレクトに録画できるブルーレイディスクレコーダ（ＢＤ装置）が普及してきているが、上記のように、ＨＤ放送等の実放送をＢＤ装置やＤＶＤ装置で録画した映像を再生する場合も、同様に画面の上下或いは左右の端に映像ノイズが見えてしまい、高画質のＨＤ画像の表示品質が劣化する場合がある。
【０００７】
３）ＢＤ装置やＤＶＤ装置等の録画再生機器とテレビを、例えば、ＨＤＭＩケーブル一本で手軽に接続し、リンク機能により、ＨＤ放送予約録画の「簡単録画」や「簡単再生」等の連携機能操作を行えるようにしたシステムがあるが、リンク機能やリモコン操作等が難しいという問題点がある。
【０００８】
４）ＨＤＭＩ端子搭載機器／ＤＶＩ機器／ＲＧＢ端子搭載機器等の外部出力から音声が出力されない機器では別の音声ケーブルが必要になり、更に、出力機器側での出力解像度の設定が必要になる等の煩わしさがある。
【０００９】
以上述べたとおり、テレビ等の画像表示装置に対して記録再生装置を外付けする場合、画像表示装置に高品質の画像を表示させるためには、何らかの設定が必要になり、この分野に知識を持たない一般の人が高品質の画像を楽しむための障害となっている。また、複数種類の記録媒体の規格や、記録媒体毎に規格化されている極めて多数の記録フォーマットに従ったディスク等の記録媒体が存在することも、上述の設定の困難さを助長している。
【００１０】
特許文献１には、ドット表示を行うカラープラズマディスプレイ等の画像表示部と、パソコン制御回路、ＣＤ−ＲＯＭドライブ等を一体構造とした表示装置が開示されている。この表示装置では、内部に備えられたパソコン制御回路は、ＣＤ−ＲＯＭドライブにＣＤ−ＲＯＭが挿入されると、このＣＤ−ＲＯＭにアクセスしてアプリケーションプログラムや表示データを読み出し、画像表示部の表示を変えることができる。
【００１１】
図５（ａ）、（ｂ）は、特許文献１に開示されている表示装置を示す図である。図５（ａ）、（ｂ）において、５０は表示装置であり、図示されていないが内部にパソコン制御回路が備えられている。表示装置５０は、プラズマ等よりなるカラーディスプレイ５１、フロッピイディスクドライブ（登録商標）５３、ＣＤ−ＲＯＭドライブ部５４、簡易キーボード５６、リモコン受光部５７を有している。また、表示装置５０は通信回線５８を介してホストコンピュータ５９に接続されており、更に、ホストコンピュータ５９は、ネットワーク６０に接続されている。
【００１２】
この表示装置５０において、ＣＤ−ＲＯＭドライブ部５４にＣＤ−ＲＯＭが装着されると、内部に備えられたパソコン制御回路がＣＤ−ＲＯＭの内容を読み出しにいき、表示部５１の表示内容を変更する。表示装置５０は、ホストコンピュータ５９にも接続されており、ホストコンピュータ５９から受け取った表示データを表示することもできる。
【特許文献１】特開平１０−６９２４８号公報（公開日  平成１０年３月１０日）
【発明の開示】
【発明が解決しようとする課題】
【００１３】
前述の特許文献１に記載の技術によれば、カラープラズマディスプレイ等の画像表示装置に備えられたＣＤ−ＲＯＭドライブにＣＤ−ＲＯＭを挿入することによって、ＣＤ−ＲＯＭに記憶されているアプリケーションや表示データを読み出し、読み出したデータに従って、カラープラズマディスプレイ等の画像表示装置における表示画像を変更するができる。然しながら、前述の特許文献１には、例えば、表示データをどのような形式で表示するか等具体的な記載はなく、また、テレビ等の画像表示装置にＢＤ装置やＤＶＤ装置等の録画再生機器を接続した際の設定の煩わしさを解決するための手段等についての記載は一切ない。
【００１４】
本発明は、上述の従来技術の課題に鑑みて成されたものであり、画像表示装置に録画再生機器を有機的に接続に可能とし、ＢＤやＤＶＤ、ＣＤ等の記録媒体をＢＤ装置やＤＶＤ装置等に挿入した場合に、格別の設定等を行うことなく自動的に最適の画像表示を行うことを可能とした画像表示システムを提供することを目的としている。
【課題を解決するための手段】
【００１５】
上述の課題を解決するために、本発明に係る画像表示システムでは、
各種の記録媒体に対応した記録及び／又は再生装置と、前記記録及び／又は再生装置の出力を受けて前記各種記録媒体からの画像を再生することができる画像表示装置よりなる画像表示システムであって、
前記記録及び／又は再生装置は、装着された記録媒体から情報を読み出し再生する再生部と、前記再生部によって再生された情報から前記記録媒体の種別に関する情報を含む媒体情報を分離する媒体情報分離部とを備え、
前記画像表示装置は、画像表示方式選択部を備え、前記記録及び／又は再生装置からの前記媒体情報を受け、特定の媒体を識別すると共に、特定の媒体に対して、予め設定された最適の映像信号の表示方式を選択するものであり、
前記記録媒体が前記記録及び／又は再生部に挿入された場合に、自動的に最適の表示方式によって映像表示が行われることを特徴としている。
【００１６】
この画像表示システムによれば、記録媒体の再生に際して使用者による特別な設定等の作業を要することなく、記録媒体に記録された画像を最適の方式で表示できることになる。
【００１７】
上述の課題を解決するために、本発明に係る別の画像表示システムでは、前記画像表示装置はドット表示型の表示装置であり、前記映像信号の表示方式にはドット・バイ・ドット方式の表示を含むことと特徴としている。
【００１８】
この画像表示システムによれば、記録媒体に記録された情報をそのまま表示することとなり、高品質の表示が可能となる。
【００１９】
上述の課題を解決するために、本発明に係る更に別の画像表示システムでは、前記映像信号の表示方式には、画面サイズを変更した表示方式を含むことを特徴としている。
【００２０】
この画像表示システムによれば、記録媒体の種類に応じた最適な画面サイズを自動的に選択することができる。
【００２１】
上述の課題を解決するために、本発明に係る更に別の画像表示システムでは、前記映像信号の表示方式には、画面の一部を変形した表示方式を含むことを特徴としている。
【００２２】
この記録及び／又は再生装置内蔵型画像表示装置によれば、例えば、映像信号の縦横比と異なる縦横比を有する表示部においても、画面いっぱいの表示が可能になる。
【００２３】
上述の課題を解決するために、本発明に係る更に別の画像表示システムでは、前記媒体情報に、更に、コンテンツに関する情報を追加したことを特徴としている。
【００２４】
この画像表示システムによれば、コンテンツに応じた最適の表示方式を選択できる。
【００２５】
上述の課題を解決するために、本発明に係る更に別の画像表示システムでは、前記媒体情報がＢＤ−ＲＯＭ、ＤＶＤ−ＲＯＭ、ＣＤ−ＲＯＭを示すものであるとき、表示方式としてドット・バイ・ドット表示とすることを特徴としている。
【００２６】
これによれば、ＢＤ−ＲＯＭ、ＤＶＤ−ＲＯＭ、ＣＤ−ＲＯＭに記憶された高品質の映像を高品質の映像で表示できる。
【００２７】
上述の課題を解決するために、本発明に係る更に別の画像表示システムでは、前記媒体情報が標準記録モード以外の長時間記録モードで記録された情報であることを示すものであるとき、表示方式としてドット・バイ・ドット表示とし、更に、画質補正を行うことを特徴としている。
【００２８】
これによれば、長時間モードで記録された情報を、品質を高めて表示できる。
【００２９】
上述の課題を解決するために、本発明に係る更に別の画像表示システムでは、前記記録及び／又は再生装置からの映像信号が、前記記録及び／又は再生装置側のオンスクリーン表示（ＯＳＤ）を行うものであるときには、画質調整を行わないことを特徴としている。
【００３０】
これによれば、画質調整を行った場合の過度の文字強調を防止できる。
【００３１】
上述の課題を解決するために、本発明に係る更に別の画像表示システムでは、最適の表示方式を自動的に選択する機能を無効にすることを可能としたことを特徴としている。
【００３２】
これによれば、極めて簡単な操作で自動補正を解除でき、媒体そのものの映像を観賞できる。また、映像によっては、その方が高品質になる場合も想定されるが、それに容易に対応できる。
【００３３】
上述の課題を解決するために、本発明に係る更に別の画像表示システムでは、最適の表示方式として強制的にドット・バイ・ドット表示に切り替え可能としたことを特徴としている。
【００３４】
ドット・バイ・ドット表示として表示した場合、多くの場合で高画質になるときがあるが、極めて容易にその画質を評価できる。
【００３５】
上述の課題を解決するために、本発明に係る更に別の画像表示システムでは、前記記録及び／又は再生装置が前記画像表示装置内に内蔵されて一体構成となっていることを特徴としている。
【００３６】
これによれば、各装置毎の電源のＯＮ／ＯＦＦシーケンスや各装置毎の操作画面を共通化できると共に、装置全体を極めてコンパクトに構成できる。
【００３７】
上述の課題を解決するための、本発明にかかる更に別の画像表示システムでは、前記記録及び／又は再生装置が前記画像表示装置と着脱式の接続手段により分離可能となっていることを特徴としている。
【００３８】
これによれば、画像表示装置と記録及び／又は再生装置の仕様変更や装置交換が必要になった場合に簡単に対応できる。
【００３９】
上述の課題を解決するために、本発明に係る更に別の画像表示システムでは、前記記録及び／又は再生装置の記録媒体自体が前記画像表示装置内に内蔵されて一体構成となっており、内蔵された記録媒体からの信号を再生する場合には、前記内蔵された記録媒体に保存された情報に従って最適な表示方式を選択することを特徴としている。
【００４０】
これによれば、ＨＤＤ等の内蔵型の記録媒体に記録された映像に対しても自動的に最適な表示方式を選択することができる。
【００４１】
上述の課題を解決するために、本発明に係る更に別の画像表示システムでは、特定の媒体に対して最適の映像信号の表示方式を設定する最適表示方式対応表をオンスクリーン表示可能とし、予め設定する最適の映像信号の表示方式をユーザーで設定できるようにしたことを特徴としている。
【００４２】
これによれば、ユーザーの好みに従った最適な表示方式を自動的に選択可能とすることができる。
【００４３】
上述の課題を解決するために、本発明に係る記録及び／又は再生装置では、装着された記録媒体から情報を読み出し再生する再生部と、前記再生部によって再生された情報から前記記録媒体の種別に関する情報を含む媒体情報を分離する媒体情報分離部と、前記分離された媒体情報を外部機器に供給するための端子と、外部機器からの入力信号を記録する記録部とを備えたことを特徴としている。
【００４４】
これによれば、記録及び／又は再生装置の媒体情報を分析して最適な表示方式を選択できる画像表示装置に接続した場合、自動的に最適な表示方式を選択することができるシステムを構築することができる。
【００４５】
上述の課題を解決するために、本発明に係る画像表示装置では、記録及び／又は再生装置からの媒体情報を受信するための端子を備えると共に、前記端子から受信した媒体情報によって記録及び／又は再生装置に装着された媒体を識別し、特定の媒体に対して、予め設定された最適の映像信号の表示方式を選択する画像表示方式選択部とを備え、自動的に最適の表示方式によって映像表示が行われることを特徴としている。
【００４６】
これによれば、媒体情報を出力する記録及び／又は再生装置に接続した場合に、自動的に最適な表示方式を選択することができるシステムを構築することができる。
【００４７】
上述の課題を解決するために、本発明に係る別の画像表示装置では、各種媒体の記録及び／又は再生装置からの再生情報を受信し、この受信した再生情報から前記記録媒体の種別に関する情報を含む媒体情報を分離する媒体情報分離部を備えたことを特徴としている。
【００４８】
これによれば、媒体に関する情報を出力するような記録及び／又は再生装置と接続した場合、記録及び／又は再生装置からの再生画像を、自動的に最適な表示方式として表示させることができる。
【発明の効果】
【００４９】
以上に述べたとおり、本願の発明では、各種の記録媒体に対応した記録及び／又は再生装置と、前記記録及び／又は再生装置の出力を受けて前記各種記録媒体からの画像を再生することができる画像表示装置よりなる画像表示システムであって、前記記録及び／又は再生装置は、装着された記録媒体から情報を読み出し再生する再生部と、前記再生部によって再生された情報から前記記録媒体の種別に関する情報を含む媒体情報を分離する媒体情報分離部とを備え、前記画像表示装置は、画像表示方式選択部を備え、記録及び／又は再生装置からの前記媒体情報を受け、特定の媒体を識別すると共に、特定の媒体に対して、予め設定された最適の映像信号の表示方式を選択するものであり、前記記録媒体が前記記録及び／又は再生部に挿入された場合に、自動的に最適の表示方式によって映像表示が行われることを特徴としている。
【００５０】
また、本願の別の発明では、前記画像表示装置はドット表示型の表示装置であり、前記映像信号の表示方式には、ドット・バイ・ドット方式の表示を含むことと特徴としている。
【００５１】
これにより、記録媒体の再生に際して使用者による特別な設定等の作業を要することなく、記録媒体に記録された画像を最適の方式で表示させることができる画像表示システムを提供することができる。
【発明を実施するための最良の形態】
【００５２】
以下に、本発明に従った実施の形態を説明する。なお、以下の説明では、本発明を実施するために好ましい種々の限定が付されているが、本発明の技術的範囲は以下の実施の形態及び図面に限定されるものではない。
【００５３】
図１は、本発明に従った画像表示システムのブロック図を示す図であり、特に、記録及び／又は再生装置と画像表示装置を一体構成とした例を示している。また、画像表示装置としてアナログチュナー、デジタルチュナーを有するテレビ受信機を用いた場合の実施例である。また、記録及び／又は再生装置としては、ＨＤＤ装置、ＢＤ装置やＤＶＤ／ＣＤ装置のようなディスク記録及び／又は再生装置、半導体メモリ等が利用できるが、以下の説明では、主として、ＢＤ装置やＤＶＤ／ＣＤ装置のようなディスク記録及び／又は再生装置を内蔵させた記録及び／又は再生装置内蔵型画像表示装置を例にして説明する。なお、各ブロックの機能は、ハードウエアのみで達成されるわけではなく、制御用のソフトウエアと共同して達成されることは言うまでもない。
【００５４】
なお、記録及び／又は再生装置と画像表示装置とを夫々別の装置として構成しても良いことは言うまでもなく、また、後に詳細を説明する図１に示す記録及び／又は再生装置２０の構成も変更可能である。例えば、記録及び／又は再生装置２０の情報分離部２４中の媒体情報を分離する機能を画像表示装置側、例えば、画像表示方式選択部３０に設けておくこともできる。この場合には、一般の記録及び／又は再生装置であっても、媒体に関する情報を出力するタイプのものであれば、図１に示す実施の形態と同様に機能することも明らかである。
【００５５】
また、記録及び／又は再生装置記録及び／又は再生装置と画像表示装置とを夫々別の装置として構成した場合に、「記録及び／又は再生装置」と「画像表示装置」とを着脱式の接続手段により分離可能（着脱可能）の構成としても良い。例えば、デジタルオーディオ信号用の接続端子としてＳＰＤＩＦ端子を用い、映像信号、媒体情報の接続端子としてＨＤＭＩ端子を用い、更に、電源端子を設けて、画像表示装置側から電源の供給を行う。媒体情報は、ＨＤＭＩ端子中のＣＥＣ信号を用いる。「記録及び／又は再生装置」と「画像表示装置」の夫々に上記の端子を設けて、機械的に着脱可能とする。各端子を直接接続する構成としても良いが、相互を繋ぐ接続線を介して着脱可能としても良い。
【００５６】
これによれば、画像表示装置と記録及び／又は再生装置の仕様変更や装置交換が必要になった場合に簡単に対応できることとなる。また、ＨＤＭＩ端子、ＳＰＤＩＦ端子等の標準的なインターフェースを採用することで記録及び／又は再生装置を標準的な仕様とすることができる。詳細は、図６を参照して後で説明する。
【００５７】
図１において、１は画像表示システムの制御を司るＣＰＵであり、制御プログラム等が記憶されているメモリ２を有すると共に、ユーザーからの入力を取り込むリモコン受光部３等を有しており、バスライン４を介して相互に接続されている。また、特に、図示していないがバスライン４を介して、画像表示システムの各部分に対して制御信号６を供給している。５はＣＰＵに対する入力装置としてのリモートコントローラである。これらの部分については、今回発明の主要部をなすものではないため、図面では詳細な記載が省略されている。また、これら部分に対する詳細な説明を省略する。
【００５８】
１０は、アナログ及びデジタルのテレビチュナー１１、復調部１２を有するテレビ受像機のフロントエンド部であり、このフロントエンド部１０からの音声信号は、音声選択部１３、音声信号処理部１４を介してスピーカ１５に供給されており、また、このフロントエンド部１０からの映像信号は映像選択部１６、表示制御部１７を介して表示部１８に供給されている。これらの部分についても、今回発明の主要部をなすものではないため、図面では詳細な記載が省略されている。また、これら部分に対する詳細な説明を省略する。
【００５９】
２０は、ハードディスク（ＨＤＤ）２５、ＢＤやＤＶＤ／ＣＤのようなディスク２６、半導体メモリ２７等の各種の記録媒体を用いた記録及び／又は再生装置を示しており、記録部２１、再生部２２、情報読取部２３、情報分離部２４等を有している。なお、記録部２１に関しては、本発明の主要部ではないことから、記録部２１に対して入力信号線２８が接続されていることを示すことのみで、その外の詳細は省略している。また、３０は、画像表示方式選択部であり、制御信号発生部３１、映像信号処理部３２を備えている。
【００６０】
このような構成を有する画像表示システムにおいて、記録及び／又は再生装置２０に特定のディスク、例えば、ＢＤビデオ（市販のＢＤ−ＲＯＭディスク）やＤＶＤビデオ（市販のＤＶＤーＲＯＭディスク）、ＣＤビデオ（市販のＣＤーＲＯＭディスク）が挿入されると、再生部２２が各ディスクの再生を開始し、情報読取部２３は再生された信号から情報を読み取る。ブルーレイディスク（ＢＤ）には、映画等の画像情報コンテンツを格納するためのＢＤＭＶ規格がアプリケーションフォーマットで規格化されており、同様にＤＶＤではアプリケーションフォーマットの一つにＤＶＤ―Ｖｉｄｅｏフォーマットが規格化され、それぞれ所望のアプリケーションフォーマットで記録されている。よって、        情報分離部２４では、これらのアプリケーションフォーマットに関する情報等（以後、媒体情報という）を分離して画像表示方式選択部３０の制御信号発生部３１に送る。
【００６１】
画像表示方式選択部３０の制御信号発生部３１では、前記媒体情報を受信して、記録及び／又は再生装置２０からの信号が、ＢＤビデオ（市販のＢＤ−ＲＯＭ）からの信号であることを識別してその旨を示す制御信号を映像信号処理部３２に送る。
【００６２】
映像信号処理部３２には、各種の表示方式で映像信号を処理する処理部が設けられており、更に、各種の画面サイズで表示するための処理部が設けられている。また、記録媒体毎に最適な表示方式を予め決定しておき、特定の記録媒体とその記録媒体に対する最適表示方式を示した対応表（最適表示方式対応表）を、映像信号処理部３２内に設けておく。従って、この対応表（最適表示方式対応表）を書き換えることによって、特定の記録媒体に対する最適な表示方式を変更することも可能となる。この最適表示方式対応表を変更する際には、この最適表示方式対応表自体を、オンスクリーン表示させ、使用者はスクリーン表示を見ながら容易に設定できるようにしておくことが好ましい。また、この対応表（最適表示方式対応表）を複数個用意しておき、１つをメーカーがデフォルトとして設定するものに使用し、残りのものを複数のユーザーが夫々設定するものに使用できるようにしておくこともできる。各種の表示方式及び画面サイズについては、後で図３と共に説明する。
【００６３】
映像信号処理部３２では、制御信号発生部３１からの信号を受けると、前記の対応表（最適表示方式対応表）を参照して、ＢＤビデオ（市販のＢＤ−ＲＯＭ）を再生するに最適な表示方式を選択して映像信号を処理し、映像選択部１６に送る。リモートコントローラ５からの入力によって記録及び／又は再生装置が選択されると、映像選択部１６では映像信号処理部３２からの映像信号を、表示制御部１７を介して表示部１８に送る。表示部では、ＢＤビデオ（市販のＢＤ−ＲＯＭ）を再生するに最適な表示方式で画像表示されることになる。同時に、音声選択部１３でも、記録及び／又は再生装置２０からの音声を選択して、音声信号処理部１４に送り、スピーカ１５より出力することになる。
【００６４】
具体的には、例えば、表示装置の表示パネルが１９２０×１０８０の解像度を有している場合には、映像信号処理部３２では、制御信号発生部３１からの「ＢＤビデオ（市販のＢＤ−ＲＯＭ）」からの信号である旨の指示を受け、前記対応表（最適表示方式対応表）を参照して、予め決められた表示方式である「ドット・バイ・ドットの表示方式でオーバースキャン率１００％の表示方式」を選択して、映像信号を処理し、表示部１８側に送ることになる。これにより、単に、ＢＤビデオ（市販のＢＤ−ＲＯＭ）を記録及び／又は再生装置２０に挿入するだけで、１９２０×１０８０のフルハイビジョン映像で記録された映像信号を、表示部１８に表示することなり、入力信号の解像度と同じ解像度の高品質画像で観賞できることになる。
【００６５】
前記記録及び／又は再生装置２０に異なるディスク、例えば、ＤＶＤーＲＷ（Ｖｉｄｅｏフォーマット）のディスクを挿入した場合、前記記録及び／又は再生装置２０の情報分離部２４では、「ＤＶＤーＲＷ（Ｖｉｄｅｏフォーマット）のディスクであることを示す情報」を含む媒体情報を分離して制御信号発生部３１に送る。制御信号発生部３１では、前記媒体情報を受信して、前記記録及び／又は再生装置２０からの信号が、ＤＶＤーＲＷ（Ｖｉｄｅｏフォーマット）のディスクからの信号であることを識別してその旨を示す制御信号を映像信号処理部３２に送る。
【００６６】
映像信号処理部３２では、制御信号発生部３１からの信号を受けると、前記対応表（最適表示方式対応表）を参照して、ＤＶＤーＲＷ（Ｖｉｄｅｏフォーマット）のディスクを再生するに最適の表示方式を選択して映像信号を処理し、映像選択部１６に送る。リモートコントローラ５からの入力によって記録及び／又は再生装置が選択されると、映像選択部１６では映像信号処理部３２からの映像信号を、表示制御部１７を介して表示部１８に送る。表示部では、ＤＶＤーＲＷ（Ｖｉｄｅｏフォーマット）のディスクを再生するに最適な表示方式で画像表示されることになる。同時に、音声選択部１３も、記録及び／又は再生装置２０からの音声を選択して、音声信号処理部１４に送り、スピーカ１５より出力することになる。
【００６７】
具体的には、画面サイズがフルサイズでオーバースキャン率が９５％程度の表示方式で表示する。これは、ＤＶＤーＲＷ（Ｖｉｄｅｏフォーマット）のディスクを、ドット・バイ・ドットの表示方式でオーバースキャン率１００％の表示方式とすると、画面周辺部にいわゆる「映像ノイズ」と呼ばれる雑音成分などが表示される場合があるからである。
【００６８】
ディスクの種類に応じ、また、表示部の性能に応じ、最適の表示方式を予め決めておくことで、使用者は格別な設定等の操作をすることなく、最良の表示方式で各種ディスクを楽しむことができる。
【００６９】
なお、表示方式とは、ドット・バイ・ドットによる表示方式、オーバースキャン率を１００％以内、例えば９５％にした画面サイズフルの表示方式のほか、画面サイズをどのようにするかをも含む。この点については、図３を用いて詳細に説明する。
【００７０】
図２は、以上に述べた状況を説明するための１例を示す図である。図２において、表示画面１８−１に示すようなテレビチュナー側からの受像画面が表示されているときに、記録及び／又は再生装置２０にディスクが挿入されると、表示画面１８−２に示すように、例えば画面の右下付近にディスクを読み込み中の表示をＯＳＤ表示し、ディスク読み取り中であることが表示される。
【００７１】
ケース［Ａ］（上部に示す）の場合は、記録及び／又は再生装置２０にＢＤビデオ（市販のＢＤ−ＲＯＭ）が挿入された場合を示している。入力をテレビチュナー側から記録及び／又は再生装置２０側に切り換えると、表示画面１８−３に示すように、ドット・バイ・ドットの表示方式で、オーバースキャン率１００％の表示が行われることになる。
【００７２】
ケース［Ｂ］の場合には、記録及び／又は再生装置２０に、ＤＶＤーＲＷ（Ｖｉｄｅｏフォーマット）のディスクが挿入された場合を示している。入力をテレビチュナー側から記録及び／又は再生装置２０側に切り換えると、表示画面１８−４に示すように、画面サイズフルでオーバースキャン率９５％での表示が行われることになる。
【００７３】
図３は、種々の入力信号に対して選択しうる各種の表示タイプを説明するための図である。図３において、表示部は１９２０×１０８０の解像度を有する表示装置であるとしている。入力信号が画面アスペクト比４：３の映像である場合と、入力信号が画面アスペクト比１６：９の映像信号である場合とに分けて考察している。
【００７４】
はじめに、入力信号が画面アスペクト比４：３の場合を考察する。この場合は、例えば、１２８０×１０２４、１０２４×７６８、８００×６００、６４０×４８０の解像度の信号である。この解像度の入力信号があった場合、１９２０×１０８０の解像度を有する表示装置では、画面サイズとして、ノーマルモードでの表示、シネマモードでの表示、フルモードでの表示、ドット・バイ・ドットのモードでの表示が考えられる。
【００７５】
ノーマルモードでの表示は、入力信号の縦横比を崩さず映すものであり、シネマモードでの表示は入力信号の縦横比を崩さずに画面の左右いっぱいまで拡大して映すモードであり、フルモードでの表示は入力信号の縦横比は崩れるが映像信号を画面いっぱいに映すモードであり、ドット・バイ・ドットモードでの表示は入力信号の解像度どおりのパネル画素数で映すモードである。例えば、１９２０×１０８０の表示パネル演算解像度を有する表示装置に、１２８０×１０２４、１０２４×７６８、８００×６００、６４０×４８０の解像度の信号が入力された場合には、一般的には、図に示すとおり、周辺部に表示されない領域ができるような表示になる。
【００７６】
この発明では、１２８０×１０２４、１０２４×７６８、８００×６００、６４０×４８０の解像度の各入力信号に対して、夫々予め最適の表示方式を定めておき、各入力信号のディスクが記録及び／又は再生装置２０に挿入された場合に、画像表示方式選択部３０にて、予め決められた最適な表示方式を選択する。なお、媒体情報に、入力信号の解像度に関する情報、画面サイズに関する情報等がないときには、入力信号を解析して解像度を求めれば良い。例えば、入力信号を表示のための画像メモリに展開した際の黒レベルの領域を識別して演算することで容易に判定できる。
【００７７】
入力信号が画面アスペクト比１６：９の場合、例えば、入力信号が１３６０×７６８、１９２０×１０８０の解像度の信号である場合にも、入力信号が４：３の時に考察したと同様、ノーマル、フル、ドット・バイ・ドットの表示方式が考えられる。なお、「シネマ」について空欄としたのは、結果として「フル」と同様の表示方式になるからである。２１：９等の新たな入力信号等に対応する必要があれば、当然、それに備えた表示方式を考えても良いことは言うまでもない。また、ドット・バイ・ドットの欄で、周辺部に画像が表示されない領域が示されているが、表示部１８が１９２０×１０８０の解像度の表示装置であり、入力信号が１９２０×１０８０の解像度の信号であれば、画像が画面いっぱいに表示されることになる。
【００７８】
この場合も、各入力信号に対して、それぞれ最適の表示方式を予め定めておき、各入力信号のディスクが記録及び／又は再生装置２０に挿入された場合に、画像表示方式選択部３０にて、予め決められた最適な表示方式を選択する。
【００７９】
図４は、以上に述べた画像表示システムの動作の一例を示すフローチャートである。このフローチャートでは、「ドット・バイ・ドットの表示方式」で表示するか「オーバースキャン率９５％の画面フルの表示方式」で表示するかを選択する例を示しており、ＢＤ入力且つセル系ディスクの場合にドット・バイ・ドットの表示方式を選択するものとしている。
【００８０】
記録及び／又は再生装置２０にディスクが挿入されると（ステップ１、以後Ｓ１と記載する。）、再生部２２でディスクが検出され（Ｓ２）、情報読取部２３において挿入されたディスクの情報が読み取られ、媒体情報（ディスクのフォーマットに関する情報）が読み出し（Ｓ３）分離されて、画像表示方式選択部３０に送られる。
【００８１】
画像表示方式選択部３０の制御信号発生部３１では、フォーマットに関する信号（媒体情報）から挿入されたディスクの種別を識別する（Ｓ４）。入力がテレビ側から記録再生部２０側に切り換えられる（Ｓ５）と、映像信号処理部３２では制御信号発生部３１からの信号を受け、ＢＤ入力且つセル系ディスクかを判定して、「ＹＥＳ」の場合には、ドット・バイ・ドットの表示方式を選択し、「ＮＯ」の場合には、「オーバースキャン率９５％の画面フルの表示方式」を選択する。
【００８２】
なお、現在入手できるディスクの中で、ドット・バイ・ドットの表示方式を採用することが好ましいディスクとしては、以下のディスクがある。
１．ＢＤビデオ（市販のＢＤ−ＲＯＭ）
２．ＤＶＤビデオ（市販のＤＶＤ、ファイナライズ済みＶｉｄｅｏフォーマット含む）
３．ＣＤ（ＣＤＤＡ）セル系メディア
また、「オーバースキャン率９５％程度の画面フル」の表示方式を使用した方が好ましいディスク、或いは、少なくともドット・バイ・ドットの表示方式を採用しない方が良いディスクとしては、以下のディスクがある。オーバースキャン率９５％程度の表示とした理由は、例えば、実放送を録画したディスク等では、記録機器やフォーマット種別のばらつきで、画面周辺部に映像ノイズが見えてしまう可能性があるからである。
１．不明ディスク
２．ＢＤ−ＲＥ（一層／二層）
３．ＢＤ−Ｒ（一層／二層）
４．ＤＶＤ−ＲＷ（写真用）
５．ＤＶＤ−ＲＷ（Ｖｉｄｅｏフォーマット）
６．ＤＶＤ−ＲＷ（ＶＲフォーマット）
７．ＤＶＤ−ＲＷ（非Ｖｉｄｅｏ／ＶＲフォーマット）
８．ＤＶＤ−Ｒ（Ｖｉｄｅｏフォーマット）
９．ＤＶＤ−Ｒ（ＶＲフォーマット）
１０．ＤＶＤ−Ｒ（非Ｖｉｄｅｏ／ＶＲフォーマット）
１１．ＤＶＤ−ＲＡＭ
１２．ＣＤ−ＲＷ
１３．ＣＤ−Ｒ
以上の説明では、画像表示方式選択部３０では、特定の記録媒体、例えばディスクの種類に対して、表示方式を予め定めているとしているが、使用者の好みによって、例えば、メーカーのサ−ビスによって設定を変更可能としたり、或いは、リモートコントローラからの入力によって使用者自らが設定を変更可能にしておいても良い。変更は、前記対応表（最適表示方式対応表）を書き換えれば良い。変更には、多少の煩わしさが残るが一度設定を変更しておけば、ディスクを挿入して画像を再生する都度の操作は不必要となり、画像表示システムの使い勝手を改善することができる。
【００８３】
その他、例えば記録媒体からの媒体情報が長時間モードで記録された情報を示すものであるときには、表示方式としてドット・バイ・ドット表示を選び、更に、画質補正（エンハンス強める）を行わせることも画質向上には効果がある。画質補正は、テレビでは通常備えられている機能であり、容易に実現できる。この場合でも、記録及び／又は再生装置側からの映像信号（文字信号）が表示画面上にオンスクリーン表示される場合には文字が必要以上に強調されることのないように画質補正を行わない方が好ましい。
【００８４】
また、「特定の媒体に最適な表示方法を予め設定しておく機能」を必要としないユーザーのために、ユーザー自身の設定により、或いは、メーカーのサービスによる設定により、この機能をはずすことができるようにしておいても良い。また、逆に、ユーザーにより強制的に、例えばドット・バイ・ドット表示に切り換える手段を設けておいても良い。
【００８５】
更に、以上の説明では、記録媒体、例えばディスクの種類によって最適の表示方式を予め設定することとしたが、記録された情報の種類によって最適の表示方法を選ぶようにしても良い。例えば、スポーツの場合、映画の場合、ニュースの場合、ゲームの場合、静止画の場合等に応じて最適の表示方法を設定しても良い。特に、静止画の場合には、周辺に映像ノイズが映ると表示品質を大きく低下させるので、静止画を表示する場合には、ドット・バイ・ドットでの表示によっては画面全体に表示されないときは、画面フルの表示を最優先すること等がある。なお、コンテンツによって表示方式を変更する場合は、何を優先するかの優先順位を付けておくことが望ましい。
【００８６】
この場合、媒体情報には、更に、コンテンツに関する情報を含ませることが必要となるが、静止画か否かは、アプリケーションフォーマット情報や画像信号の一定時間内における変化の度合いを見れば容易に判断できるので、この判断部を記録再生部２０内に設けることで実現できる。また、スポーツか否か、映画か否か、ゲームか否か等については、同様にアプリケーションフォーマット情報やディスク等の表題に関する情報を分析して求める。この場合にも、この表題等の分析部を記録再生部２０内に設けることが必要になる。
【００８７】
記録及び／又は再生装置が画像表示装置に内蔵されて一体化されており、更に、記録媒体自体も内蔵されているような場合、例えば、ＨＤＤの記録及び／又は再生装置が内蔵されているような場合には、ＨＤＤから再生された情報を分析して、その分析結果に従って最適な表示方式を選択する。
【００８８】
図６は、記録及び／再生装置と画像表示装置を別に構成したときの接続の概要を模式的に示した図である。図１と同様な構成としているが、接続部のみ異なる。図６において、２０は単体構成にされた記録及び／又は再生装置を示しており、６０は単体構成とされた画像表示装置を示している。６１はＳＰＤＩＦ端子を模式的に示しており、デジタルオーディオ信号用の端子である。６２はＨＤＭＩ端子を模式的に示しており、映像情報と媒体情報用の端子である。６３は電源用の端子である。この例の場合は、画像表示装置６０側から、記録及び／又は再生装置２０側への電源供給用に使用されている。なお、本発明に必要な接続線を含むように記載しており、接続線の全てを記載しているわけではない。
【００８９】
これら３つの端子を、接続用ケーブルを介して接続してもよく、或いは、機械的に直接接続しても良い。このような構成とすることにより、「記録及び／又は再生装置」或いは「画像表示装置」の設計変更があった場合にも柔軟に対応可能となる。
【００９０】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【産業上の利用可能性】
【００９１】
本発明によれば、使い勝手を改善した画像表示システムが得られる。画像表示システムは、今後の市場の需要が高まることが期待されている製品であり、産業上の利用可能性は極めて高い。
【図面の簡単な説明】
【００９２】
【図１】本発明に従った画像表示システムの構成の概略を示すブロック図である。
【図２】本発明に従った画像表示システムにおける動作状況（一例）を示す図である。
【図３】表示方式の例を示す図である。
【図４】本発明に従った画像表示システムの動作の一例を説明するためのフローチャートである。
【図５】従来の表示装置の構造を説明するための図である。
【図６】本発明に従った記録及び／又は再生装置と画像表示装置を分離可能とした場合の画像表示システムの一例を示す図である。
【符号の説明】
【００９３】
１  ＣＰＵ
２  メモリ
３  リモコン受光部
４  バス
５  リモートコントローラ
６  各部制御信号
１０  テレビのフロントエンド部
１１  テレビチュナー
１２  復調部
１３  音声選択部
１４  音声処理部
１５  スピーカ
１６  映像選択部
１７  表示制御部
１８  表示部
２０  記録再生部
２１  記録部
２２  再生部
２３  情報読取部
２４  情報分離部
２５  ハードディスクドライブ部
２６  ディスクドライブ部
２７  メモリ部
２８  記録部への入力信号線
３０  画像表示方式選択部
３１  制御信号発生部
３２  映像信号処理部
６１  ＳＰＤＩＦ端子
６２  ＨＤＭＩ端子
６３  電源用の端子
【図１】
2010117688.tif 000003
【図２】
2010117688.tif 000004
【図３】
2010117688.tif 000005
【図４】
2010117688.tif 000006
【図５】
2010117688.tif 000007
【図６】
2010117688.tif 000008